【手続補正書】
【提出日】平成20年9月19日(2008.9.19)
【手続補正１】
【補正対象書類名】明細書
【補正対象項目名】特許請求の範囲
【補正方法】変更
【補正の内容】
【特許請求の範囲】
【請求項１】  入力データのデジタル・データ・ストリームのためのデータ復元装置であって、
サンプリング・クロックの位相が自動的に調整され、ビット・タイムでマルチ・サンプリング・クロックを出力するための位相変換手段と、
サンプリングされたデータ信号の１つが復元されたデータを出力するために用いられ、トリガーとしてサンプリング・クロックを使用する入力データをサンプリングするため及びマルチ・サンプルされたデータ信号を供給するためのデータ・サンプリング手段と、
前記サンプルされたデータ信号と前記復元されたデータを比較するための比較論理手段と、
入力データと前記比較論理の比較結果を使用する前記サンプリング・クロックとの間の位相関係を推定するため、及び、前記推定結果に従って前記位相変換手段のための制御信号を提供するための位相制御手段と、
からなることを特徴とする装置。
【請求項２】  位相変換手段であって、
外付けクロックと内的に復元されたクロックの１つである入力クロックを使用する第１サンプリング・クロックを出力するための前記位相制御手段の第１の出力により制御された位相遅延手段と、
位相において前記第１サンプリング・クロックを先行させる第２サンプリング・クロックを出力するための前記位相制御手段の第２の出力により制御される第１回路手段と、位相において前記第１サンプリング・クロックから遅延している第３サンプリング・クロックを出力するための前記位相制御手段の第２の出力により制御される第２回路手段と、からなり、
３つのサンプリング・クロックの位相が初期設定マージンでの入力データ・ストリームのアイ・オープニング内で整理されている、ことを特徴とする請求項１記載の装置。
【請求項３】  第１回路手段及び第２回路手段が第１サンプリング・クロックを受け取ることを特徴とする請求項２に記載の装置。
【請求項４】  位相変換手段が、
複数の位相変換値を出力する位相分配器、
前記位相制御手段の第１の出力に従って位相分配器から入力を受取り、第１サンプリング・クロックを出力するバッファ、及び
前記位相制御手段の第２の出力に従って位相分配器から入力を受取り、第２及び第３サンプリング・クロックを出力する選択論理回路、
からなることを特徴とする請求項１に記載の装置。
【請求項５】  位相変換手段が、
位相制御手段の第１の出力によって制御されている電圧制御発振器、
電圧制御発振器の出力を遅らせることによって３つのサンプリング・クロックを出力するために、前記位相制御手段の第２の出力によって制御されており、その３つのサンプリング・クロックの位相が所定のマージンと共に入力データ・ストリームのアイ・オープニング内に整理される回路手段、
からなることを特徴とする請求項１に記載の装置。
【請求項６】  複数のサンプリング・クロックをビット・タイムで出力するものであって、前記サンプリング・クロックの位相が自動調節可能である位相変換器、
サンプリング・クロックをトリガーとして使用する入力データをサンプリングし、複数のサンプリングされたデータ信号を提供するためであって、前記サンプリングされたデータ信号の一つが復元されたデータを出力するのに使用されるデータ・サンプラ、
前記サンプリングされたデータ信号を前記復元されたデータと比較する比較論理回路、及び
入力データと前記サンプリング・クロックの位相関係を、前記比較論理手段の比較結果を使って推定し、前記推定結果に従って前記位相変換手段へ制御信号を与えるための位相制御器、
からなる入力データのデジタル・データ・ストリームのためのデータ復元装置。
【請求項７】  位相変換器が、
外付けのクロックと内的に復元されたクロックの１つである入力クロックを使用する第１サンプリング・クロックを出力するために前記位相制御装置の第１の出力により制御される位相遅延論理回路と、
前記位相制御装置の第２の出力により制御され、位相において前記第１サンプリング・クロックを先行させる第２サンプリング・クロックを出力するための第１回路と、
前記位相制御装置の第２の出力により制御され、位相において前記第１サンプリング・クロックから遅延した第３サンプリング・クロックを出力するための第２回路と、
からなり、
３つのサンプリング・クロックの位相が初期設定されたマージンと共に入力データ・ストリームのアイ・オープニング内に整理されている、
ことを特徴とする請求項６に記載の装置。
【請求項８】  位相変換器が、
位相制御装置の第１の出力により制御される電圧制御発振器と、
前記位相制御の第２の出力により制御され、電圧制御発振器の出力を遅延することにより３つのサンプリング・クロックを出力するための、３つのサンプリング・クロックの位相が所定のマージンと共に入力データ・ストリームのアイ・オープニング内に整理されている回路と、
からなることを特徴とする請求項６に記載の装置。
【請求項９】  デジタル・データ・ストリームのためのデータ復元方法であって、
サンプリング・ポイントが初期設定された命令と適応可能な時間差により調整された、前記マルチ・ポイントにおける入力データをサンプリングすること、
早い時間境界でサンプリングしたデータと復元データとの比較結果である第１疑似ビット・エラー信号を供給すること、
遅い時間境界でサンプリングしたデータと復元データとの比較結果が第２疑似ビット・エラー信号を供給すること、
サンプリングする境界がアイ・オープニング端とぎりぎりで一致し中間のサンプリング・ポイントの１つがデータ復元に従事するために、第１と第２の疑似ビット・エラー信号を用いること、からなる方法。
【請求項１０】  前記マルチ・ポイントにおける入力データをサンプリングすることが、すくなくとも３つのポイントで入力データをサンプリングすることからなり、
前記サンプリングポイントの少なくとも１つが早い境界でのサンプリングポイントと遅い境界でのサンプリングポイントとの間の時間的に中間にある中間の復元されたデータのサンプリングポイントであり、
前記復元されたデータが、サンプルごとに異なることを特徴とする請求項９に記載の方法。
【請求項１１】  前記位相変換手段がビット・タイムで少なくとも２の制御信号を受け取り、少なくとも３つのサンプリング・クロックを出力することを特徴とする請求項１に記載の装置。
【請求項１２】  前記データ・サンプリング手段が前記少なくとも３つのサンプリング・クロックを受け取り、トリガとして前記少なくとも３つのサンプリング・クロックを用いて前記入力データをサンプリングし、そして少なくとも３つのサンプリングされたデータ信号を提供するようになっており、
前記少なくとも３つのサンプリングされたデータ信号の１つが前記復元されたデータを出力するのに使用されることを特徴とする請求項１１に記載の装置。
【請求項１３】前記比較論理手段が前記少なくとも３つのサンプリングされたデータ信号を受け取り、前記少なくとも３つのサンプリングされたデータ信号と前記復元された信号とを比較し、そして第１の疑似ビット・エラー値と第２の疑似ビット・エラー値とを提供することを特徴とする請求項１２に記載の装置。
【請求項１４】  前記位相制御手段が前記少なくとも第１の疑似ビット・エラー値と前記第２のビット・エラー値とを受け取り、少なくとも前記第１の疑似ビット・エラー値と前記第２のビット・エラー値とを用いて、前記入力データと前記少なくとも３つのサンプリング・クロックとの間の位相関係を推定し、
該推定結果にしたがって、前記位相変換手段に前記少なくとも２つの制御信号を提供することを特徴とする請求項１３に記載の装置。
【請求項１５】  前記位相変換手段が、外部クロック及び内部的に復元されたクロックの１つのである入力クロックを用いて第１のサンプリング・クロックを出力するための前記位相変換手段の第１の出力によって制御される位相遅延手段と、
前記第１のサンプリング・クロックの位相を進める第２のサンプリング・クロックを出力するための前記位相変換手段の第２の出力によって制御される第１の回路手段と、
前記第１のサンプリング・クロックから位相を遅延される第３のサンプリング・クロックを出力する前記位相制御手段の第２の出力によって制御される第２の回路手段と、を備え、
前記３つのサンプリング・クロックの位相が所定のマージンを有する前記入力データ・ストリームのアイ・オープニング内に整理されている、ことを特徴とする請求項１４に記載の装置。
【請求項１６】  前記第１の回路手段と前記第２の回路手段が前記第１のサンプリング・クロックを受け取ることを特徴とする請求項１５に記載の装置。
【請求項１７】  前記位相変換手段が、
複数の位相変換値を出力する位相分配器、
前記位相制御手段の第１の出力に従って位相分配器から入力を受取り、第１サンプリング・クロックを出力するバッファ、及び
前記位相制御手段の第２の出力に従って位相分配器から入力を受取り、第２及び第３サンプリング・クロックを出力する選択論理回路、
とを備えたことを特徴とする請求項１４に記載の装置。
【請求項１８】  位相変換手段が、
位相制御手段の第１の出力によって制御されている電圧制御発振器、
電圧制御発振器の出力を遅らせることによって３つのサンプリング・クロックを出力するために、前記位相制御手段の第２の出力によって制御されており、その３つのサンプリング・クロックの位相が所定のマージンと共に入力データ・ストリームのアイ・オープニング内に整理される回路手段、
からなることを特徴とする請求項１４に記載の装置。